(57)【要約】【課題】電子レンジで商品を加熱した際に、発熱や発火することなく商品に貼付可能なＲＦタグを提供することを可能とする。【解決手段】ＲＦタグ１０が、第１の樹脂からなるベースシート１１と、ベースシート１１の表面１１ａに配置された、マイクロ波帯の周波数の電波に共振するアンテナ１５及び該アンテナに接続されたＩＣチップ１６を含むＲＦＩＤインレット１２と、少なくともアンテナ１５を被覆する保護シート１３とを含み、保護シートが、第１の樹脂よりも耐熱温度が低い第２の樹脂からなる構成とする。【選択図】図１
2019192084.tif 000002
【特許請求の範囲】
【請求項１】
第１の樹脂からなるベースシートと、
前記ベースシートの表面に配置された、マイクロ波帯の周波数の電波に共振するアンテナ及び前記アンテナに接続されたＩＣチップを含むＲＦＩＤインレットと、
少なくとも前記アンテナを被覆する保護シートと、を含み、
前記保護シートが、前記第１の樹脂よりも耐熱温度が低い第２の樹脂からなることを特徴とするＲＦタグ。
【請求項２】
前記アンテナが非磁性体金属からなることを特徴とする請求項１に記載のＲＦタグ。
【請求項３】
前記保護シートを前記アンテナまたは前記ベースシートの前記表面に接着するのに使用される接着剤またはのりが水分を含有していることを特徴とする請求項２に記載のＲＦタグ。
【請求項４】
前記第１の樹脂が、該樹脂の耐熱温度を超えたときに、所定の変形態様に変形するように形状を記憶させた形状記憶樹脂を含むことを特徴とする請求項１ないし請求項３のいずれかに記載のＲＦタグ。
【請求項５】
前記第２の樹脂が、該樹脂の耐熱温度を超えたときに、所定の変形態様に変形するように形状を記憶させた形状記憶樹脂を含むことを特徴とする請求項１ないし請求項４のいずれかに記載のＲＦタグ。
【請求項６】
前記アンテナが、前記第１の樹脂の耐熱温度を超えたときに、所定の変形態様に変形するように形状を記憶させた形状記憶合金からなることを特徴とする請求項１ないし請求項５のいずれかに記載のＲＦタグ。
【請求項７】
前記ベースシートの前記表面の反対側の裏面における周縁部以外の領域の少なくとも一部に、当該ＲＦタグを対象物に貼り付けるための接着層が設けられていることを特徴とする請求項１ないし請求項６のいずれかに記載のＲＦタグ。
【発明の詳細な説明】
【技術分野】
【０００１】
本発明は、電子レンジで加熱される商品に貼付可能なＲＦタグに関する。
【背景技術】
【０００２】
近年、商品の在庫管理や販売管理等に、ＲＦＩＤ（Radio Frequency Identification）技術が利用されている。特にコンビニ業界では、人手不足が大きな問題となっているため、商品にＲＦタグを貼付することにより棚卸しや会計業務の効率化を図っている。具体的には、識別コード、商品名、価格、賞味期限等の情報を記憶したＲＦタグを商品に貼付し、そのＲＦタグに記憶された情報を、リーダライタと呼ばれる装置を使用して非接触で読み取ることにより、商品の在庫管理や販売管理等を行うことができる（例えば、特許文献１参照）。
【先行技術文献】
【特許文献】
【０００３】
【特許文献１】特開２０１１−２８７１５号公報
【発明の概要】
【発明が解決しようとする課題】
【０００４】
しかしながら、上記の特許文献１のような従来技術では、マイクロ波帯の周波数を用いるタイプのＲＦタグは、該タグのアンテナが電子レンジから照射されるマイクロ波と共振して加熱されるため、弁当や惣菜等の電子レンジで加熱される商品には貼付することができないという問題があった。ＲＦタグのアンテナが電子レンジのマイクロ波と共振して加熱されると、アンテナから火花が出たりアンテナが高温になったりするため、電子レンジの発火事故が発生したり、弁当や惣菜等の容器が変形したり穴があいたりする恐れがある。
【０００５】
本発明は、このような従来技術の課題を鑑みて案出されたものであり、電子レンジで加熱される商品に貼付可能なＲＦタグを提供することを主目的とする。
【課題を解決するための手段】
【０００６】
本発明のＲＦタグは、第１の樹脂からなるベースシートと、前記ベースシートの表面に配置された、マイクロ波帯の周波数の電波に共振するアンテナ及び前記アンテナに接続されたＩＣチップを含むＲＦＩＤインレットと、少なくとも前記アンテナを被覆する保護シートと、を含み、前記保護シートが、前記第１の樹脂よりも耐熱温度が低い第２の樹脂からなることを特徴とする。
【発明の効果】
【０００７】
本発明によれば、電子レンジで加熱される商品に貼付可能なＲＦタグを提供することが可能となる。
【図面の簡単な説明】
【０００８】
【図１】本発明に係るＲＦタグを示す断面図
【図２】図１に示したＲＦタグに含まれるベースシートの上面図
【図３】ＲＦタグを弁当に貼付した状態を示す図
【図４】ＲＦタグが貼付された弁当を電子レンジで加熱する様子を示す図
【図５】ＲＦタグが変形した状態を示す図
【発明を実施するための形態】
【０００９】
前記課題を解決するためになされた第１の発明は、第１の樹脂からなるベースシートと、前記ベースシートの表面に配置された、マイクロ波帯の周波数の電波に共振するアンテナ及び前記アンテナに接続されたＩＣチップを含むＲＦＩＤインレットと、少なくとも前記アンテナを被覆する保護シートと、を含み、前記保護シートが、前記第１の樹脂よりも耐熱温度が低い第２の樹脂からなることを特徴とする。
【００１０】
これによると、電子レンジでの加熱時に、マイクロ波帯の周波数の電波に共振するアンテナ（金属）が共振し、この共振により発せられた熱源によって保護シートが熱せられて収縮変形し、この保護シートの収縮変形によってアンテナを変形させることにより、アンテナが電子レンジのマイクロ波と共振しないようにすることができる。これにより、電子レンジでの加熱時にＲＦタグのアンテナから火花が出たりアンテナが高温になったりするのを防止することができる。したがって、電子レンジで加熱される商品に貼付可能なＲＦタグを提供することが可能となる。
【００１１】
また、第２の発明は、上記の第１の発明において、前記アンテナが非磁性体金属からなることを特徴とする。
【００１２】
これによると、電子レンジでの加熱時に、電子レンジのマイクロ波による電磁誘導に起因するアンテナの加熱を抑制することが可能となる。
【００１３】
また、第３の発明は、上記の第２の発明において、前記保護シートを前記アンテナまたは前記ベースシートの前記表面に接着するのに使用される接着剤またはのりが水分を含有していることを特徴とする。
【００１４】
これによると、電子レンジでの加熱時に、電子レンジから照射されるマイクロ波によって、接着剤またはのりに含有されている水分の水分子を振動させて、保護シートを加熱することが可能となる。
【００１５】
また、第４の発明は、上記の第１の発明ないし第３の発明において、前記第１の樹脂が、該樹脂の耐熱温度を超えたときに、所定の変形態様に変形するように形状を記憶させた形状記憶樹脂を含むことを特徴とする。
【００１６】
これによると、電子レンジでの加熱時に、ベースシートを所定の変形態様に容易に変形させることが可能となる。
【００１７】
また、第５の発明は、上記の第１の発明ないし第４の発明において、前記第２の樹脂が、該樹脂の耐熱温度を超えたときに、所定の変形態様に変形するように形状を記憶させた形状記憶樹脂を含むことを特徴とする。
【００１８】
これによると、電子レンジでの加熱時に、保護シートを所定の変形態様に容易に変形させることが可能となる。
【００１９】
また、第６の発明は、上記の第１の発明ないし第５の発明において、前記アンテナが、前記第１の樹脂の耐熱温度を超えたときに、所定の変形態様に変形するように形状を記憶させた形状記憶合金からなることを特徴とする。
【００２０】
これによると、保護シートの変形時に、その変形に追随してアンテナが所定の変形態様に容易に変形させることが可能となる。
【００２１】
また、第７の発明は、上記の第１の発明ないし第６の発明において、前記ベースシートの前記表面の反対側の裏面における周縁部以外の領域の少なくとも一部に、当該ＲＦタグを対象物に貼り付けるための接着層が設けられていることを特徴とする。
【００２２】
これによると、第１の樹脂の耐熱温度を超えたときに、保護シートの周縁部が容易に変形することが可能となる。また、保護シートの変形に追随して、アンテナ及びベースシートの周縁部が容易に変形することが可能となる。
【００２３】
以下、本発明の実施形態について、図面を参照しながら説明する。
【００２４】
（第１実施形態）
まず、本発明の第１実施形態について説明する。図１は、本発明に係るＲＦタグの断面図であり、図２は、図１に示したＲＦタグに含まれるベースシート１１の上面図である。なお、図１及び図２は説明のためのものであり、図中の各構成要素は正確な縮尺ではない。
【００２５】
図１に示すように、ＲＦタグ１０は、ベースシート１１と、ベースシート１１の表面に配置されたＲＦＩＤインレット１２と、ＲＦＩＤインレット１２（以降、単に「インレット１２」と称する）を被覆する保護シート１３とを含んでいる。保護シート１３は、図示しない接着剤またはのりによって、インレット１２及びベースシート１１の表面１１ａに接着されている。
【００２６】
また、ベースシート１１の裏面１１ｂにおける周縁部以外の領域の少なくとも一部（図１では中央部分）には、接着剤からなる接着層１４が設けられている。また、図示しないが、接着層１４の接着面１４ａには、接着層１４の未使用時に接着面１４ａを保護するための剥離紙が貼着されている。
【００２７】
ＲＦタグ１０は、２．４５ＧＨｚのマイクロ波帯の周波数を用いるタイプのＲＦタグである。本実施形態では、ＲＦタグ１０は、電池を内蔵しておらず、リーダライタから受信した電波をエネルギー源として動作するパッシブ型であるとする。
【００２８】
図２に示すように、ベースシート１１の表面１１ａに配置されたインレット１２は、アンテナ１５と、アンテナ１５に接続されたＩＣチップ１６とから構成されている。インレット１２を構成するアンテナ１５及びＩＣチップ１６は、インレット１２を被覆する保護シート１３により保護される（図１参照）。
【００２９】
アンテナ１５は、ベースシート１１の表面１１ａにメッキやエッチング等により形成したメアンダ状の導体パターンである。本実施形態では、導体として、例えば鉄等の磁性体金属を用いている。なお、導体パターンの形状は、メアンダ状に限定されるものではなく、直線状、Ｌ字状、折り返し状等の他の様々な形状であってもよい。
【００３０】
アンテナ１５は、図示しないリーダライタと、２．４５ＧＨｚのマイクロ波帯の周波数を用いて信号の送受信を行う。ＩＣチップ１６には、商品２０（図３参照）に関する様々な情報（例えば、識別コード、商品名、価格、賞味期限等）が記憶されている。また、ＩＣチップ１６には、所定の演算処理機能等が搭載されている。
【００３１】
アンテナ１５は、リーダライタから信号を受信すると、その信号をＩＣチップ１６に出力する。ＩＣチップ１６は、アンテナ１５から入力された信号に含まれる命令に基づいて所定の演算処理を実行し、その処理結果をアンテナ１５に出力する。そして、アンテナ１５は、ＩＣチップ１６から入力された処理結果を含む信号をリーダライタに送信する。
【００３２】
ベースシート１１は、第１の樹脂から作製され、保護シート１３は、第１の樹脂よりも耐熱温度が低い第２の樹脂から作製される。第１の樹脂及び第２の樹脂は、第２の樹脂の耐熱温度が第１の樹脂の耐熱温度よりも低くなるように（すなわち、第１の樹脂の耐熱温度が第２の樹脂の耐熱温度よりも高くなるように）選択される。例えば、第１の樹脂としてポリスチレン（耐熱温度は約１１０〜１３０度）を用い、第２の樹脂としてポリスチレン（耐熱温度は約７０〜８０度）を用いることができる。
【００３３】
なお、第１の樹脂及び第２の樹脂は、ポリスチレン（ＰＳ）とポリプロピレン（ＰＰ）との組み合わせに限定されるものではなく、第２の樹脂の耐熱温度が第１の樹脂の耐熱温度よりも低い限り（すなわち、第１の樹脂の耐熱温度が第２の樹脂の耐熱温度よりも高い限り）、ポリエチレン（ＰＥ）、ポリエチレンテレフタレート（ＰＥＴ）、塩化ビニル（ＰＶＣ）等の他の様々な樹脂を用いることができる。
【００３４】
第１の樹脂及び第２の樹脂は、耐熱温度を超えると収縮変形する。第２の樹脂の耐熱温度は、第１の樹脂の耐熱温度よりも低いので、ＲＦタグ１０が加熱され高温になると、第２の樹脂から構成された保護シート１３が、第１の樹脂から構成されたベースシート１１よりも先に収縮変形する。
【００３５】
収縮変形の態様は様々であるが、本実施形態では、保護シート１３の両端部分が、インレット１２の反対側に向かって反って丸まるように収縮変形するものとする。なお、保護シート１３の収縮変形の態様は、これに限定されるものではなく、例えば保護シート１３の周縁部が中央部に向かって収縮変形する態様等の他の様々な態様があり得る。
【００３６】
ベースシート１１は、保護シート１３が収縮変形したときに、その収縮変形に追随して変形することができるように薄く形成する。すなわち、ベースシート１１は、腰が弱くなるように薄く形成される。
【００３７】
また、アンテナ１５も、保護シート１３が収縮変形したときに、その収縮変形に追随して収縮変形することができるように薄く形成する。具体的には、約０．１ｍｍ程度の厚さに形成するとよい。
【００３８】
本実施形態では、保護シート１３は、その両端部分がインレット１２の反対側に向かって反って丸まるように収縮変形するので、ベースシート１１及びアンテナ１５は、それらの両端部分が、保護シート１３の収縮変形に追随して、保護シート１３側に向かって反って丸まることができるように形成する。
【００３９】
このように構成されたＲＦタグ１０は、接着層１４によって、弁当や惣菜等の電子レンジ３０（図４参照）で加熱される商品２０に貼付される。本実施形態では、商品２０は弁当とする。図３は、ＲＦタグ１０を弁当２０の容器の表面に貼付した状態を示す図である。なお、商品２０は、弁当や惣菜に限定されるものではなく、電子レンジ３０で加熱される商品であれば他の商品であってもよい。
【００４０】
図４は、ＲＦタグ１０が貼付された弁当２０を電子レンジ３０で加熱する様子を示す図である。以下、弁当２０を電子レンジ３０で加熱したときに、ＲＦタグ１０の変化について説明する。
【００４１】
まず、電子レンジ３０は、弁当２０に対してマイクロ波を照射し、弁当２０内の食品に含まれている水分の水分子を振動させることにより、弁当２０内の食品を加熱する。このとき、ＲＦタグ１０のアンテナ１５の共振周波数（２．４５ＧＨｚ）が、電子レンジ３０から照射されるマイクロ波の周波数（２．４５ＧＨｚ）と重なるため、アンテナ１５は、電子レンジ３０のマイクロ波と共振して加熱される。
【００４２】
また、アンテナ１５は、磁性体金属から作製されているため、電子レンジ３０のマイクロ波による電磁誘導によりアンテナ１５の表面に渦電流が発生し、この渦電流による誘導加熱によってもアンテナ１５は加熱される。
【００４３】
そして、加熱されたアンテナ１５が高温になると、アンテナ１５の熱により、保護シート１３が収縮変形する。上述したように、保護シート１３を構成する第２の樹脂はベースシート１１を構成する第１の樹脂よりも耐熱温度が低いので、保護シート１３は、ベースシート１１よりも先に変形する。
【００４４】
保護シート１３が収縮変形すると、その変形に追随して、アンテナ１５（すなわちインレット１２）が変形する。上述したように、アンテナ１５は、保護シート１３の収縮変形に追随して変形することができる。
【００４５】
また、保護シート１３が収縮変形すると、その変形に追随してベースシート１１も変形する。上述したように、ベースシート１１は、保護シート１３の収縮変形に追随して変形することができる。
【００４６】
このようにして、商品２０を電子レンジ３０で加熱すると、商品２０に貼付されたＲＦタグ１０は変形する。また、ＲＦタグ１０を商品２０に貼り付ける接着層１４は、ベースシート１１の裏面１１ｂの中央部分にのみ設けられており、裏面１１ｂの周縁部には設けられていないので、第１の樹脂の耐熱温度を超えたときに、保護シート１３の周縁部は容易に変形することができる。また、保護シート１３の変形に追随して、アンテナ１５及びベースシート１１の周縁部も容易に変形することができる。
【００４７】
図５は、ＲＦタグ１０が変形した状態を示す図である。図５に示すように、ＲＦタグ１０のベースシート１１、インレット１２、及び保護シート１３は、それらの両端部分が、接着層１４の反対側に向かって反って丸まるように変形する。
【００４８】
これにより、インレット１２のアンテナ１５は変形し、その投影面積が小さくなる。アンテナ１５の投影面積が小さくなると、アンテナ１５の共振周波数（固有振動数）が変化するため、アンテナ１５は電子レンジ３０のマイクロ波と共振しなくなる。この結果、電子レンジ３０のマイクロ波との共振に起因するＲＦタグ１０のアンテナ１５の加熱を防ぐことができる。
【００４９】
このように、本発明の第１実施形態に係るＲＦタグ１０によれば、電子レンジでの加熱時に、保護シート１３の収縮変形によってアンテナ１５を変形させることにより、アンテナ１５が電子レンジ３０のマイクロ波と共振しないようにすることができる。これにより、電子レンジでの加熱時にＲＦタグのアンテナから火花が出たりアンテナが高温になったりするのを防止することができる。したがって、電子レンジで加熱される商品に貼付可能なＲＦタグを提供することが可能となる。
【００５０】
（第２実施形態）
次に、本発明の第２実施形態に係るＲＦタグ１０について説明する。なお、この第２実施形態では、以下で特に言及しない事項については、上述の第１実施形態の場合と同様とする。
【００５１】
この第２実施形態では、ＲＦタグ１０のアンテナ１５が、磁性体金属ではなく、非磁性体金属から作製される点と、保護シート１３に使用される接着剤やのり等が水分を含有している点が上記の第１実施形態と異なる。
【００５２】
アンテナ１５は、例えば、アルミ、銅、ステンレス等の非磁性体金属から作製される。非磁性体金属は、電磁誘導により渦電流が発生しにくいので、電子レンジ３０のマイクロ波により加熱されにくい。したがって、アンテナ１５を非磁性体金属から作製することにより、電子レンジ３０のマイクロ波による電磁誘導に起因して、アンテナ１５が加熱されることが抑制される。
【００５３】
一方で、保護シート１３をインレット１２またはベースシート１１の表面１１ａに接着するのに使用される接着剤やのり等が水分を含有していることにより、水分の水分子が振動して、保護シート１３が加熱される。
【００５４】
この第２実施形態に係るＲＦタグ１０が貼付された弁当２０を電子レンジ３０で加熱すると、電子レンジ３０から照射されるマイクロ波によって、保護シート１３に使用されている接着剤やのり等に含有されている水分の水分子が振動して、保護シート１３が加熱される。
【００５５】
この第２実施形態では、アンテナ１５は非磁性体金属から作製されているので、電子レンジ３０のマイクロ波による電磁誘導に起因するアンテナ１５の加熱は抑制される。
【００５６】
加熱された保護シート１３に使用されている水分を含んだ接着剤やのりが高温になり、保護シート１３を構成する第２の樹脂の耐熱温度を超えると、保護シート１３は収縮変形する。保護シート１３が変形すると、アンテナ１５（すなわちインレット１２）及びベースシート１１は、上記の第１実施形態の場合と同様に、保護シート１３の変形に追随して変形する。
【００５７】
このようにして、ＲＦタグ１０のベースシート１１、インレット１２、及び保護シート１３は、上記の第１実施形態の場合と同様に、それらの両端部分が、接着層１４の反対側に向かって反って丸まるように変形する（図５参照）。これにより、インレット１２のアンテナ１５が変形して投影面積が小さくなり、アンテナ１５の共振周波数（固有振動数）が変化するので、アンテナ１５は電子レンジ３０のマイクロ波と共振しなくなる。この結果、電子レンジ３０のマイクロ波との共振に起因するＲＦタグ１０のアンテナ１５の加熱を防ぐことができる。
【００５８】
このように、本発明の第２実施形態に係るＲＦタグ１０によれば、アンテナ１５を非磁性体金属から作製することにより、電子レンジでの加熱時に、電子レンジ３０のマイクロ波による電磁誘導に起因するアンテナの加熱を抑制することができる。また、電子レンジでの加熱時に、上記の第１実施形態と同様に、保護シート１３の収縮変形によってアンテナ１５を変形させることにより、アンテナ１５が電子レンジ３０のマイクロ波と共振しないようにすることができる。これにより、電子レンジでの加熱時にＲＦタグのアンテナから火花が出たりアンテナが高温になったりするのを防止することができる。これにより、電子レンジで加熱される商品に貼付可能なＲＦタグを提供することが可能となる。
【００５９】
なお、上記の第１実施形態及び第２実施形態において、ベースシート１１を構成する第１の樹脂は、該樹脂の耐熱温度を超えたときに、所定の変形態様に変形するように形状を記憶させた形状記憶樹脂であってもよい。これによると、電子レンジ３０での加熱時に、ベースシート１１を所定の変形態様に容易に変形させることが可能となる。
【００６０】
なお、上記の第１実施形態及び第２実施形態において、保護シート１３を構成する第２の樹脂は、該樹脂の耐熱温度を超えたときに、所定の変形態様に変形するように形状を記憶させた形状記憶樹脂であってもよい。これによると、電子レンジ３０での加熱時に、保護シート１３を所定の変形態様に容易に変形させることが可能となる。
【００６１】
また、上記の第１実施形態及び第２実施形態において、アンテナ１５を構成する導体として、第１の樹脂の耐熱温度を超えたときに、所定の変形態様に変形するように形状を記憶させた形状記憶合金であってもよい。これによると、保護シート１３の変形時に、その変形に追随してアンテナ１５を所定の変形態様に容易に変形させることが可能となる。
【００６２】
以上、本発明を特定の実施形態に基づいて説明したが、これらの実施形態はあくまでも例示であって、本発明はこれらの実施形態によって限定されるものではない。また、上記実施形態に示した本発明に係るＲＦタグの各構成要素は、必ずしも全てが必須ではなく、少なくとも本発明の範囲を逸脱しない限りにおいて適宜取捨選択することが可能である。
【産業上の利用可能性】
【００６３】
本発明に係るＲＦタグは、電子レンジで加熱される商品に貼付可能なＲＦタグを提供することを可能とするＲＦタグ等として有用である。
【符号の説明】
【００６４】
１０    ＲＦタグ
１１    ベースシート
１１ａ  表面
１２    ＲＦＩＤインレット
１３    保護シート
１４    接着層
１５    アンテナ
１６    ＩＣチップ
２０    商品（弁当）
３０    電子レンジ
【図１】
2019192084.tif 000003
【図２】
2019192084.tif 000004
【図３】
2019192084.tif 000005
【図４】
2019192084.tif 000006
【図５】
2019192084.tif 000007